(57)【要約】【課題】被写体が子供又は幼児であっても、より確実に被写体の目線をレンズに誘導できる撮像装置を提供する。【解決手段】本開示における撮像装置は、光学系と、光学系で集光された被写体像を撮像する撮像センサと、撮像された被写体像を表示するモニタと、被写体の静止画撮影開始前、又は、動画撮影中に、被写体側に向くモニタの表示面に、前記光学系の中心方向に移動するオンスクリーンディスプレイ（ＯＳＤ）を表示するコントローラと、を備える。【選択図】図６
2015097379.tif 000002
【特許請求の範囲】
【請求項１】
光学系と、
前記光学系で集光された被写体像を撮像する撮像センサと、
前記撮像された被写体像を表示するモニタと、
被写体の静止画撮影開始前、又は、動画撮影中に、被写体側に向く前記モニタの表示面に、前記光学系の中心方向に移動するオンスクリーンディスプレイを表示するコントローラと、
を備える撮像装置。
【請求項２】
前記モニタは、前記撮像装置の筐体に対して回動可能に保持されており、
前記コントローラは、前記モニタの表示面が被写体側を向いた場合において、前記モニタの表示面に、前記光学系の中心方向に移動するオンスクリーンディスプレイを表示する、
請求項１に記載の撮像装置。
【請求項３】
前記コントローラは、前記モニタの表示面に表示され前記光学系の中心方向に移動するオンスクリーンディスプレイが、前記表示面に表示されなくなった後、撮影動作を行う、
請求項１又は請求項２に記載の撮像装置。
【請求項４】
前記撮像センサに反射光を入射させる補助光源を、さらに備え、
前記撮像センサは、前記補助光源の反射光が入射することにより、出力信号を出力し、
前記コントローラは、前記出力信号に所定レベル以上の変化を検出した場合に、撮影動作を行う、
請求項１又は請求項２に記載の撮像装置。
【発明の詳細な説明】
【技術分野】
【０００１】
本開示は、モニタの表示面を被写体側に向けた状態で、被写体像を撮影可能な撮像装置に関する。
【背景技術】
【０００２】
特許文献１は、デジタルスチルカメラやムービー等の撮像装置において、撮像した画像データ等を表示するためのモニタの角度を変更可能なものを開示している。
【０００３】
特許文献１は、「撮影中の画像を被撮影者に向けて表示することの可能な液晶表示パネル２を有する映像撮影装置において、液晶表示パネル２に表示中の画像中に被撮影者の視線の方向を補正するよう促す視線補正表示２３を表すこと」を特徴としている。
【先行技術文献】
【特許文献】
【０００４】
【特許文献１】特開２０００−３４１５６０号公報
【発明の概要】
【発明が解決しようとする課題】
【０００５】
特許文献１は、被写体が子供又は幼児である場合について意識されていない。そこで本開示は、被写体が子供又は幼児であっても、より確実に被写体の目線をレンズに誘導できる撮像装置を提供する。
【課題を解決するための手段】
【０００６】
本開示における撮像装置は、光学系と、光学系で集光された被写体像を撮像する撮像センサと、撮像された被写体像を表示するモニタと、被写体の静止画撮影開始前、又は、動画撮影中に、被写体側に向くモニタの表示面に、前記光学系の中心方向に移動するオンスクリーンディスプレイ（以下、「ＯＳＤ」という）を表示するコントローラと、を備える。
【０００７】
また、本開示は、モニタを被写体側に向けた状態において、撮影時の手振れの発生を軽減する技術を含んでいる。
【発明の効果】
【０００８】
本開示における撮像装置は、被写体が子供又は幼児であっても、より確実に被写体の目線をレンズに誘導できる。
【図面の簡単な説明】
【０００９】
【図１】実施の形態１に係るデジタルカメラの正面図
【図２】実施の形態１に係るデジタルカメラの背面図
【図３】（Ａ）実施の形態１に係るデジタルカメラのモニタが開いた状態の正面図、（Ｂ）実施の形態１に係るデジタルカメラのモニタが開いた状態の背面図
【図４】実施の形態１に係るデジタルカメラの電気的構成図
【図５】実施の形態１に係る撮影動作の処理を示すフローチャート
【図６】（Ａ）実施の形態１に係る目線誘導ＯＳＤの時間ｔ０における表示例の説明図、（Ｂ）実施の形態１に係る目線誘導ＯＳＤの時間ｔ１における表示例の説明図、（Ｃ）実施の形態１に係る目線誘導ＯＳＤの時間ｔ２における表示例の説明図、（Ｄ）実施の形態１に係る目線誘導ＯＳＤの時間ｔ３における表示例の説明図
【図７】実施の形態１に係る目線誘導ＯＳＤの他の表示例の説明図
【図８】実施の形態１に係るセルフタイマー使用時における撮影動作の処理を示すフローチャート
【図９】実施の形態２に係る撮影動作の処理を示すフローチャート
【図１０】実施の形態２に係る目線誘導ＯＳＤを用いた撮影動作の処理を示すフローチャート
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者は、当業者が本開示を十分に理解するために添付図面及び以下の説明を提供するのであって、これらによって特許請求の範囲に記載の主題を限定することを意図するものではない。
【００１２】
（実施の形態１）
〔１．デジタルカメラの構成〕
図１は、デジタルカメラ１００の正面図である。デジタルカメラ１００は、前面に、光学系１１０を納める鏡筒、フラッシュ１６０、オートフォーカス補助光（ＡＦ補助光）１７０を備える。また、デジタルカメラ１００は、上面に、静止画レリーズ釦２０１、などの操作釦を備える。さらに、デジタルカメラ１００は、上面に、シーン切替ダイヤル２０９を備える。なお、レンズを有する光学系１１０は、図１に示すように、光学系中心５０４（光軸）を持つ。
【００１３】
図２は、デジタルカメラ１００の背面図である。デジタルカメラ１００は、背面に、バリアングル方式のモニタ１２３と、中央釦２０４、十字釦２０５、動画レリーズ釦２０６及びモード切替スイッチ２０７などから構成される操作釦を、備える。図２に示す状態では、モニタ１２３は、デジタルカメラ１００の背面側に閉じられて、収納されている。そして、図２に示す状態で、モニタ１２３の表示面１２４は、デジタルカメラ１００の背面側を向いている。
【００１４】
図３（Ａ）は、デジタルカメラ１００のモニタ１２３が開いた状態を示す正面図であり、図３（Ｂ）は、デジタルカメラ１００のモニタ１２３が開いた状態を示す背面図である。モニタ１２３は、デジタルカメラ１００の背面側の上部を中心にして、回転可能である。図２に示すモニタ１２３が閉じられている位置を０度とすると、図３（Ａ）及び図３（Ｂ）に示すモニタ１２３が開いた状態は、約１８０度回転した状態である。図３（Ａ）及び図３（Ｂ）に示すように、モニタ１２３は、約１８０度回転移動された開いた状態において、表示面１２４が被写体側を向くようになる。即ち、モニタ１２３の表示面１２４は、光学系１１０と同様に、被写体側を向く。
【００１５】
図４は、デジタルカメラ１００の電気的構成図である。デジタルカメラ１００は、光学系１１０を介して形成された被写体像を、ＣＭＯＳイメージセンサ１２０（Ｃｏｍｐｌｅｍｅｎｔａｒｙ  Ｍｅｔａｌ−Ｏｘｉｄｅ  Ｓｅｍｉｃｏｎｄｕｃｔｏｒイメージセンサ）で撮像する。ＣＭＯＳイメージセンサ１２０は、撮像した被写体像に基づいて、画像データを生成する。撮像により生成された画像データは、画像処理部１２２において、各種処理が施される。生成された画像データは、フラッシュメモリ１４２やメモリカード１４０のような記録媒体に記録される。ＣＭＯＳイメージセンサ１２０は撮像センサの一例であり、ＣＭＯＳイメージセンサ１２０に代えて、ＣＣＤ（Ｃｈａｒｇｅ  Ｃｏｕｐｌｅｄ  Ｄｅｖｉｃｅ）イメージセンサ等の撮像センサを用いることもできる。
【００１６】
光学系１１０は、フォーカスレンズ１１１、ズームレンズ１１２、絞り１１３及びシャッター１１４を備える。フォーカスレンズ１１１、ズームレンズ１１２、絞り１１３、シャッター１１４は、それぞれに対応したＤＣモータやステッピングモータ等の駆動手段により、コントローラ１３０から通知された制御信号に従って、駆動される。
【００１７】
ＣＭＯＳイメージセンサ１２０は、光学系１１０を通して形成された被写体像を、撮像して、画像データを生成する。ＣＭＯＳイメージセンサ１２０は、コントローラ１３０からの制御に応じて、画像データを撮像する。そして、ＣＭＯＳイメージセンサ１２０は、撮像した画像データを画像処理部１２２に出力する。
【００１８】
画像処理部１２２は、画像データに対して、各種の処理を施す。各種処理には、ホワイトバランス補正、ガンマ補正、ＹＣ変換処理、電子ズーム処理、圧縮処理、伸張処理等が、含まれる。各種処理には、これらの処理以外のものが含まれていてもよい。画像処理部１２２は、各種処理を施した画像情報を、バッファメモリ１２６に記憶する。画像処理部１２２は、ハードワイヤードな電子回路で、構成してもよい。また、画像処理部１２２は、プログラムを用いたマイクロコンピュータなどで、構成してもよい。また、画像処理部１２２は、コントローラ１３０などと共に、１つの半導体チップで構成してもよい。
【００１９】
モニタ１２３は、デジタルカメラ１００の背面に設けられている。モニタ１２３は、バリアングル方式のモニタである。バリアングル方式のモニタ１２３は、その表示面１２４の向きを変更可能なように、構成されている。バリアングル方式のモニタ１２３は、その表示面１２４を本体に対して、開閉可能且つ回転可能である。これにより、モニタ１２３の表示面１２４の向きを、デジタルカメラ１００の背面側から正面側に、連続的に変更することが可能である。上述のとおり、図２に示す閉じた状態では、モニタ１２３は０度の位置にあり、図３（Ａ）及び図３（Ｂ）に示す開いた状態では、モニタ１２３は約１８０度の位置にある。また、モニタ１２３を９０度付近の位置で留めると、表示面１２４は上面側を向く。
【００２０】
モニタ１２３は、画像処理部１２２にて処理された画像データに基づいて、画像を表示する。モニタ１２３が表示する画像には、スルー画像及び記録画像が含まれる。スルー画像は、ＣＭＯＳイメージセンサ１２０によりリアルタイムに順次生成される一連の画像データである。デジタルカメラ１００は、撮影モードにおいて、スルー画像をモニタ１２３に表示する。使用者は、モニタ１２３に表示されるスルー画像を参照することで、被写体の構図を確認しながら撮影できる。記録画像は、メモリカード１４０等に記録されている撮影画像である。
【００２１】
モニタ回転検出部１２５は、モニタ１２３の回転角度（回転状態）を検出して、検出結果をコントローラ１３０に通知する。コントローラ１３０は、検出結果により、モニタ１２３の表示面１２４が被写体側を向いているか（開いた状態となっているか）、背面側を向いているか（閉じた状態となっているか）を判断する。
【００２２】
コントローラ１３０は、デジタルカメラ１００全体の動作を制御する。また、コントローラ１３０は、画像処理部１２２の処理が終了した後、バッファメモリ１２６に記憶された画像データを、メモリカード１４０へ記録する。コントローラ１３０は、プログラムを格納するＲＯＭ（Ｒｅａｄ  Ｏｎｌｙ  Ｍｅｍｏｒｙ）、プログラムを実行することにより各種情報を処理する中央処理装置（ＣＰＵ：Ｃｅｎｔｒａｌ  Ｐｒｏｃｅｓｓｉｎｇ  Ｕｎｉｔ）などにより、構成される。ＲＯＭは、ファイル制御、オートフォーカス制御（ＡＦ制御）や自動露出制御（ＡＥ制御）、フラッシュ１６０の発光制御に関するプログラムの他、デジタルカメラ１００全体の動作を制御するためのプログラムを、格納している。
【００２３】
コントローラ１３０は、ハードワイヤードな電子回路で構成してもよいし、マイクロコンピュータなどで構成してもよい。また、画像処理部１２２などと共に１つの半導体チップで構成してもよい。また、ＲＯＭはコントローラ１３０の内部構成である必要はなく、コントローラ１３０の外部に備わったものでもよい。
【００２４】
バッファメモリ１２６は、画像処理部１２２やコントローラ１３０のワークメモリとして機能する記憶手段である。バッファメモリ１２６はＤＲＡＭ（Ｄｙｎａｍｉｃ  Ｒａｎｄｏｍ  Ａｃｃｅｓｓ  Ｍｅｍｏｒｙ）などで実現できる。また、フラッシュメモリ１４２は、画像データ及びデジタルカメラ１００の設定情報等を記録するための内部メモリとして機能する。
【００２５】
カードスロット１４１は、メモリカード１４０を着脱可能な接続手段である。カードスロット１４１は、メモリカード１４０を電気的及び機械的に接続可能である。また、カードスロット１４１は、メモリカード１４０を制御する機能を備えてもよい。
【００２６】
メモリカード１４０は、内部にフラッシュメモリ等の記録部を備えた外部メモリである。メモリカード１４０は、画像処理部１２２で処理される画像データを記録可能である。
【００２７】
操作部１５０は、デジタルカメラ１００の外装に備わっている操作釦や操作ダイヤルの総称であり、使用者による操作を受け付ける。例えば、図１や図２に示すように、静止画レリーズ釦２０１、動画レリーズ釦２０６、中央釦２０４、十字釦２０５、モード切替スイッチ２０７、及びシーン切替ダイヤル２０９が、操作部１５０に対応する。操作部１５０は使用者による操作を受け付けると、コントローラ１３０に種々の動作指示信号を通知する。
【００２８】
静止画レリーズ釦２０１は、半押し状態と全押し状態の二段階押下式釦である。静止画レリーズ釦２０１が使用者により半押しされると、コントローラ１３０は、ＡＦ制御や、ＡＥ制御を実行し撮影条件を決定する。続いて、静止画レリーズ釦２０１が、使用者により全押しされると、コントローラ１３０は、撮影処理を行う。コントローラ１３０は、全押しのタイミングに撮像された画像データを静止画としてメモリカード１４０等に記録する。以下、単に静止画レリーズ釦２０１を押下すると記載する場合は、全押しを示すものとする。
【００２９】
動画レリーズ釦２０６は、動画記録の開始／終了を指示するための押下式釦である。動画レリーズ釦２０６が使用者によって押下されると、コントローラ１３０は、ＣＭＯＳイメージセンサ１２０が生成した画像データに基づいて、画像処理部１２２により生成された画像データを、動画として、メモリカード１４０等の記録媒体に連続的に記録する。再度、動画レリーズ釦２０６を押下すると、動画の記録が終了する。
【００３０】
中央釦２０４は、押下式釦である。デジタルカメラ１００が撮影モード又は再生モードにあるときに、中央釦２０４が使用者により押下されると、コントローラ１３０は、モニタ１２３にメニュー画面を表示する。メニュー画面は、撮影／再生のための各種条件を設定するための画面である。メニュー画面で設定された情報は、フラッシュメモリ１４２に記録される。各種条件の設定項目が選択されているときに押下されると、中央釦２０４は決定釦としても機能する。
【００３１】
十字釦２０５は、上下左右方向に設けられた押下式釦である。使用者は、十字釦２０５のいずれかの方向を押下することにより、モニタ１２３に表示される各種条件項目を選択することができる。
【００３２】
モード切替スイッチ２０７は、上下方向に設けられた押下式釦である。使用者はモード切替スイッチ２０７のいずれかの方向を押下することにより、デジタルカメラ１００の状態を、撮影モード、再生モードに切り替えることができる。
【００３３】
シーン切替ダイヤル２０９は、シーンモードを切り換えるダイヤルである。シーンモードとは、撮影状況に応じて設定されるモードの総称である。シーン切替ダイヤル２０９の切り換えによって、複数のシーンモードの中のいずれか１つのシーンモードが設定される。複数のシーンモードには、例えば、風景モード、人物モード、夜景モード、逆光モード、マクロモード及びシーン自動判別モードが、含まれる。なお、シーン自動判別モードでは、例えば、風景モード、人物モード、夜景モード、逆光モード及びマクロモードの中のいずれか１つのモードが、画像データに基づいて、自動的に設定される。
【００３４】
〔２．撮影動作〕
図５は、撮影動作の処理を示すフローチャートである。コントローラ１３０は、モニタ１２３の回転情報をモニタ回転検出部１２５から取得し、回転の有無を判定する（Ｓ１１）。ここで、図２に示すように、モニタ１２３の表示面１２４が背面側を向いている状態を、回転角度０度に設定している。例えば、モニタ１２３の回転角度が１７０度以上である場合、モニタ１２３の回転が有ると判定し（Ｓ１１でＹｅｓ）、モニタ１２３の回転角度が１７０度未満である場合、モニタ１２３の回転はないと判定する（Ｓ１１でＮｏ）。例えば、モニタ１２３の回転角度が９０度付近の場合、モニタ１２３の表示面１２４は上方側を向き、いわゆるローアングル撮影に適した状態にある。この状態においては、モニタ１２３の回転角度は１７０度未満であるため、ステップＳ１１では、モニタ１２３の回転はないと判定される（Ｓ１１でＮｏ）。そして、モニタ１２３の視野角以上に、モニタ１２３がさらに回動すると、ローアングル撮影には適さない状態になる。本実施の形態では、モニタ１２３の回転角度が１７０度以上になると、ローアングル撮影には適さない状態であり、モニタ１２３が回転していると判定する。
【００３５】
ステップＳ１１で、モニタ１２３が回転していると判定された場合（Ｓ１１でＹｅｓ）、画像処理部１２２は、撮影モードを、「自分撮りモード」又は「赤ちゃんモード」といった、被写体を人物と想定した画質が得られる設定に変更する（Ｓ１２）。
【００３６】
ステップＳ１２で、「自分撮りモード」又は「赤ちゃんモード」といった、被写体を人物と想定した画質が得られる撮影モードに設定すると、モニタ１２３には、カメラスルー（スルー画像）の表示に重畳して、目線を誘導するＯＳＤを同時に表示する（Ｓ１３）。ここで、ＯＳＤとは、オンスクリーンディスプレイ（Ｏｎ  Ｓｃｒｅｅｎ  Ｄｉｓｐｌａｙ）の意であり、画面上に表示される任意の情報表示機能を有する文字や記号等の表示である。本実施の形態では、モニタ１２３の表示面１２４上に、光学系１１０を介してＣＭＯＳイメージセンサ１２０により撮像された画像に重畳して、被写体である人物の目線を光学系中心５０４に誘導する機能を有するＯＳＤを表示する。
【００３７】
ここで、目線を誘導するＯＳＤの表示について説明する。図６（Ａ）から図６（Ｄ）は、目線誘導ＯＳＤ５０１の表示例の説明図であり、時間ｔ０から時間ｔ３への時間経過に伴う、目線誘導ＯＳＤ５０１の移動を示す。図６（Ａ）、図６（Ｂ）、図６（Ｃ）、図６（Ｄ）は、それぞれ、時間ｔ０、時間ｔ１、時間ｔ２、時間ｔ３における目線誘導ＯＳＤ５０１の表示例を示す。目線を誘導するＯＳＤである目線誘導ＯＳＤ５０１は、例えば、方向を示す図形矢印である。なお、図６（Ｄ）は、時間ｔ３において目線誘導ＯＳＤ５０１の表示がモニタ１２３の表示面１２４から消えた状態を意味している。
【００３８】
図６（Ａ）に示すように、時間ｔ０において、目線誘導ＯＳＤ５０１は、カメラスルーの表示に重畳して、モニタ１２３の表示面１２４の上方に表示される。その後、目線誘導ＯＳＤ５０１は、光学系中心５０４に向かって移動し、一定時間が経過した時間ｔ１においては、光学系中心５０４の上方であって、表示面１２４の中央付近に表示される（図６（Ｂ））。更に、時間の経過とともに、目線誘導ＯＳＤ５０１は、光学系中心５０４に向かって移動し、時間ｔ２では、表示面１２４の下方に表示される（図６（Ｃ））。更に時間が経過すると、目線誘導ＯＳＤ５０１は、図６（Ａ）に示す表示位置（ｔ０）、即ち、表示面１２４の上方に表示される。モニタ１２３に表示される目線誘導ＯＳＤ５０１の表示は、図６（Ａ）〜図６（Ｃ）に示す状態を繰り返すことにより、被写体である人物の目線が光学系中心５０４に向くことを誘導する。
【００３９】
そして、目線が誘導され、光学系中心５０４に向いて、ユーザーが意図するシャッタータイミングで、静止画レリーズ釦２０１又は動画レリーズ釦２０６が押下されると、そのタイミングによる画像が撮像される。
【００４０】
図５に戻り、ステップＳ１４で、コントローラ１３０は、静止画レリーズ釦２０１又は動画レリーズ釦２０６の押下によるシャッター動作の有無を検出する。
【００４１】
ステップＳ１４で、シャッター動作が検出されると、ステップＳ１５で、画像が撮像される。即ち、光学系１１０を介してＣＭＯＳイメージセンサ１２０が露光され、ＣＭＯＳイメージセンサ１２０から出力された画像データがメモリ等に格納される。
【００４２】
なお、ステップＳ１１で、モニタ１２３が回転していないと判定された場合（Ｓ１１でＮｏ）、コントローラ１３０は、ユーザーが設定する撮影モードを設定し、モニタ１２３に目線誘導ＯＳＤ５０１は表示されず、カメラスルーを表示する（Ｓ１６）。
【００４３】
なお、目線誘導ＯＳＤ５０１の開始位置（ｔ０における目線誘導ＯＳＤ５０１の表示位置）は、特に限定されない。例えば、デジタルカメラ１００の正面に向かってモニタ１２３の表示面１２４の左上方に、目線誘導ＯＳＤ５０１を表示し、その位置から時間の経過と共に、光学系中心５０４に向かって右下方に移動するようにしてもよい。
【００４４】
また、目線誘導ＯＳＤ５０１の表示方法も移動軌跡も特に限定されない。目線誘導ＯＳＤ５０１は、方向を示す図形以外にも、アイコンやキャラクターにより表示することもでき、時間の経過に伴って、光学系中心５０４の方向に移動する表示であればよい。また、目線誘導ＯＳＤ５０１の表示方法や移動速度は、使用者の所望により適宜設定することができる。
【００４５】
図７は、目線誘導ＯＳＤ５０１の他の表示例の説明図である。図７では、目線誘導ＯＳＤ５０１は星印で表示されている。また、目線誘導ＯＳＤ５０１の移動軌跡は、直線状ではなく、曲線を描いて、光学系中心５０４に向かって移動する。図７に示す目線誘導ＯＳＤ５０１は、時間の経過と共にｔ０→ｔ１→ｔ２の順に移動する。
【００４６】
次に、セルフタイマーが設定されている場合の動作について説明する。図８は、セルフタイマー使用時における撮影動作の処理を示すフローチャートである。図８に示すステップＳ２１からＳ２４は、図５に示すステップＳ１１からＳ１４にそれぞれ相当し、図８に示すステップＳ２６及びＳ２７は、図５に示すステップＳ１５及びＳ１６にそれぞれ相当する。
【００４７】
図８に示すステップＳ２１で、モニタ１２３が回転していると判定された場合（Ｓ２１でＹｅｓ）、ステップＳ２２からＳ２４までは、上述の図５に示すステップＳ１２からＳ１４までと同様である。そして、ステップＳ２４で、シャッター動作が検出されると、表示されている目線誘導ＯＳＤ５０１がモニタから消えるのを待って（Ｓ２５）、撮影動作がなされる（Ｓ２６）。即ち、図５に示すステップＳ１５の場合と同様に、光学系１１０を介してＣＭＯＳイメージセンサ１２０が露光され、ＣＭＯＳイメージセンサ１２０から出力された画像データがメモリ等に格納される。
【００４８】
図６（Ｄ）は、図８に示すステップＳ２５で、目線誘導ＯＳＤ５０１がモニタ１２３から消えた状態（ｔ３）を示している。即ち、図８に示すステップＳ２３で、モニタ１２３に目線誘導ＯＳＤ５０１が表示され、図６（Ａ）から図６（Ｃ）に示すように、目線誘導ＯＳＤ５０１がｔ０→ｔ１→ｔ２の状態を経た後、目線誘導ＯＳＤ５０１の表示が消えると撮影動作がなされる。
【００４９】
なお、目線誘導ＯＳＤ５０１の表示は、図６（Ａ）から図６（Ｃ）に示すｔ０→ｔ１→ｔ２の状態を所定回数繰り返した後、図６（Ｄ）に示される状態（ｔ３）に移行するようにしてもよい。
【００５０】
また、図８に示すステップＳ２１で、モニタ１２３が回転していないと判定された場合（Ｓ２１でＮｏ）、上記図５の場合と同様に、コントローラ１３０は、ユーザーが設定する撮影モードを設定し、カメラスルーを表示する（Ｓ２７）。そして、セルフタイマーを使用した周知の撮影と同様に、ステップＳ２８で、シャッター動作が検出されると、設定されているセルフタイマーの所定時間の経過（Ｓ２９）後、撮影動作がなされる（Ｓ２６）。
【００５１】
以上のように、光学系中心５０４への目線の誘導を、文言の表示に頼らず目線誘導ＯＳＤ５０１の表示動作によって行うことにより、被写体が言葉の意味を理解できない赤ちゃんや幼少児の場合であっても、目線誘導ＯＳＤ５０１の示す方向に目線を動かすことが可能となる。これにより、デジタルカメラ１００では、被写体の目線が合った写真撮影が可能となる。
【００５２】
（実施の形態２）
〔１．ＡＦ補助光を用いた自動撮影〕
次に、実施の形態２における撮影動作について説明する。図９は、実施の形態２に係る撮影動作の処理を示すフローチャートである。実施の形態２は、ＡＦ補助光１７０を用いた自動撮影である。
【００５３】
撮影モード動作が開始すると、まず、ステップＳ３１において、コントローラ１３０は、モニタ１２３の回転情報をモニタ回転検出部１２５から取得し、モニタ１２３の回転の有無を判定する。この場合、上記実施の形態１と同様に、モニタ１２３の回転角度が１７０度以上である場合に、モニタ１２３が回転していると判定する。
【００５４】
ステップＳ３１において、モニタ１２３が回転していると判定されると（Ｓ３１でＹｅｓ）、コントローラ１３０は、撮影環境が、暗所であるか否かを判定する（Ｓ３２）。
【００５５】
撮影環境が暗所であるか否かは、例えば、光学系１１０を遮光した時のＣＭＯＳイメージセンサ１２０が出力する信号レベルを基準として、出力信号レベルがＡＦ制御可能なレベルであるか否かで判定する。そして、ＣＭＯＳイメージセンサ１２０の出力信号レベルが、ＡＦ制御不可能な状態にある場合は、撮影環境が暗所であると判定し（Ｓ３２でＹｅｓ）、ＡＦ制御可能な状態にある場合は、暗所撮影でないと判定する（Ｓ３２でＮｏ）。
【００５６】
ステップＳ３２で、撮影環境が暗所であると判定され場合（Ｓ３２でＹｅｓ）、コントローラ１３０はＡＦ補助光１７０を点灯（ＯＮ）する（Ｓ３３）。
【００５７】
ステップＳ３３でＡＦ補助光１７０がＯＮになると、コントローラ１３０は、ＣＭＯＳイメージセンサ１２０の出力信号レベルのサンプリングを開始し、輝度変化の検出を行う（Ｓ３４）。ＣＭＯＳイメージセンサ１２０は、ＡＦ補助光１７０の反射光が入射すると、出力信号を出力する。例えば、被写体である人物が光学系１１０の前方に手をかざすと、ＡＦ補助光１７０から照射される光は、手の平で反射して光学系１１０に入射する。手をかざすのをやめると、手の平による反射光の入射がなくなり、ＣＭＯＳイメージセンサ１２０の出力信号レベルが低下し、輝度変化が生じる。本実施の形態２のステップＳ３４では、６ｄＢ以上の信号レベル低下が検出された場合、輝度変化があると判定する（Ｓ３４でＹｅｓ）。なお、輝度変化を検出するための閾値は適宜設定することができ、例えば、６ｄＢ以上のレベル上昇が検出された場合、輝度変化があると判定してもよい。所定の閾値以上の信号レベル低下が検出された場合、輝度変化があると判定するのは、後述するように輝度変化をトリガーとして撮影動作を行うことから、被写体である人物が手を下ろした後等の安定した姿勢を撮影するためである。
【００５８】
なお、本実施の形態では、ＡＦ補助光１７０の反射光により輝度変化が検出されるが、ＡＦ補助光１７０は補助光源（フラッシュとは異なる光を照射する照射手段）の一例であって、ＡＦ補助光１７０以外の照射手段を設けてもよい。また、本実施の形態では、ＡＦ制御が不可能な撮影環境である暗所での撮影動作を例に説明したが、ＡＦ補助光１７０に代えて他の照射手段を使用する場合など、補助光源の反射光による輝度変化が検出できる程度の暗所環境であれば、本実施の形態は実施可能である。
【００５９】
また、輝度変化が検出されない場合（Ｓ３４でＮｏ）は、コントローラ１３０は、輝度変化がないか否かを検出し続け、輝度変化を検出するまでステップＳ３５には移行しない。
【００６０】
ステップＳ３４で、輝度変化が検出された場合（Ｓ３４でＹｅｓ）、コントローラ１３０は、所定時間の経過を待って（Ｓ３５）、ステップＳ３６に移行する。即ち、ステップＳ３５で、所定時間が経過すると（Ｓ３５でＹｅｓ）、コントローラ１３０は、自動で撮影動作を開始する（Ｓ３６）。即ち、光学系１１０を介してＣＭＯＳイメージセンサ１２０が露光され、ＣＭＯＳイメージセンサ１２０から出力された画像データがメモリ等に格納される。
【００６１】
ステップＳ３１に戻り、モニタ１２３が回転していないと判定された場合（Ｓ３１でＮｏ）、コントローラ１３０は、静止画レリーズ釦２０１などによるユーザーが意図するシャッタータイミングによるシャッター動作の有無を検出する（Ｓ３７）。
【００６２】
また、ステップＳ３２で、撮影環境が、暗所でない場合（Ｓ３２でＮｏ）にも、コントローラ１３０は、静止画レリーズ釦２０１などによるユーザーが意図するシャッタータイミングによるシャッター動作の有無を検出する（Ｓ３７）。
【００６３】
ステップＳ３７で、シャッター動作が検出されると（Ｓ３７でＹｅｓ）、ステップＳ３６に進み、撮影動作が行われる。
【００６４】
なお、ステップＳ３７で、シャッター動作が検出されない場合（Ｓ３７でＮｏ）、ステップＳ３１に戻り、コントローラ１３０は、モニタ１２３の回転情報をモニタ回転検出部１２５から取得し、回転の有無を判定する（Ｓ３１）。
【００６５】
〔２．ＡＦ補助光及び目線誘導ＯＳＤを用いた自動撮影〕
次に、ＡＦ補助光１７０と併せて目線誘導ＯＳＤ５０１を用いた自動撮影について説明する。図１０は、実施の形態２に係る目線誘導ＯＳＤ５０１を用いた撮影動作の処理を示すフローチャートである。
【００６６】
図１０に示すステップＳ４１からステップＳ４３は、実施の形態１の図５に示すステップＳ１１からステップＳ１３及び図８に示すステップＳ２１からステップＳ２３と同じである。
【００６７】
そして、図１０に示すステップＳ４４に進み、コントローラ１３０は、撮影環境が、暗所であるか否かを判定する。ステップＳ４４は、図９に示すステップＳ３２と同様に、撮影環境が、暗所であるか否かを判定する。
【００６８】
ステップＳ４４で、撮影環境が暗所であると判定された場合（Ｓ４４でＹｅｓ）、コントローラ１３０はＡＦ補助光１７０を点灯（ＯＮ）する（Ｓ４５）。ステップＳ４５は、図９に示すステップＳ３３に対応している。
【００６９】
ステップＳ４５でＡＦ補助光１７０がＯＮになると、コントローラ１３０は、ＣＭＯＳイメージセンサ１２０の出力信号レベルのサンプリングを開始し、輝度変化の検出を行う（Ｓ４６）。ステップＳ４６は、図９に示すステップＳ３４と同様に、輝度変化の検出を行う。
【００７０】
ステップＳ４６で輝度変化が検出されると（Ｓ４６でＹｅｓ）、表示されている目線誘導ＯＳＤ５０１がモニタから消えるのを待って（Ｓ４７）、撮影動作がなされる（Ｓ４８）。目線誘導ＯＳＤ５０１がモニタ１２３から消えた状態は、実施の形態１での説明のとおり、図６（Ｄ）に示す状態（ｔ３）である。即ち、図１０に示すステップＳ４３で、モニタ１２３に目線誘導ＯＳＤ５０１が表示され、図６（Ａ）から図６（Ｃ）に示すように、目線誘導ＯＳＤ５０１がｔ０→ｔ１→ｔ２の状態を経た後、目線誘導ＯＳＤ５０１の表示が消えると撮影動作がなされる。撮影動作においては、実施の形態１における図５に示すステップＳ１５の場合と同様に、光学系１１０を介してＣＭＯＳイメージセンサ１２０が露光され、ＣＭＯＳイメージセンサ１２０から出力された画像データがメモリ等に格納される。
【００７１】
なお、実施の形態１での説明と同様に、目線誘導ＯＳＤ５０１の表示は、図６（Ａ）から図６（Ｃ）に示すｔ０→ｔ１→ｔ２の状態を所定回数繰り返した後、図６（Ｄ）に示される状態（ｔ３）に移行するようにしてもよい。
【００７２】
図１０に示すステップＳ４１に戻り、モニタ１２３が回転していないと判定された場合（Ｓ４１でＮｏ）、図５に示すステップＳ１６の場合と同様に、コントローラ１３０は、ユーザーが設定する撮影モードを設定し、表示面１２４に目線誘導ＯＳＤ５０１を表示することなく、カメラスルーを表示し（Ｓ４９）、ステップＳ５０に進む。
【００７３】
また、ステップＳ４４で、撮影環境が、暗所でない場合（Ｓ４４でＮｏ）も、ステップＳ５０に進み、コントローラ１３０は、静止画レリーズ釦２０１などによるユーザーが意図するシャッタータイミングによるシャッター動作の有無を検出する（Ｓ５０）。
【００７４】
ステップＳ５０で、シャッター動作が検出されると（Ｓ５０でＹｅｓ）、ステップＳ４８に進み、撮影動作が行われる。
【００７５】
〔３．ＡＦ補助光を用いた自動撮影による効果等〕
以上のように、本実施の形態２において、デジタルカメラ１００は、モニタ１２３の回転を検出した場合、ＡＦ補助光をＯＮにする。そして、デジタルカメラ１００は、ＡＦ補助光の反射光の所定の輝度変化を検知すると、シャッター動作がされたものとみなして、シャッター動作が検出された場合と同様に、撮影動作を開始する。
【００７６】
これにより、デジタルカメラ１００は、レンズの前方に手をかざす等の使用者の非接触操作でシャッター動作を起動させることが可能になり、静止画レリーズ釦２０１などを押下というシャッター動作による上下の振れ等の構図のズレの発生を抑え易くなる。
【００７７】
また、ＡＦ補助光１７０を用いた自動撮影と併せて、目線を光学系中心５０４に誘導するＯＳＤをモニタ表示面に表示することにより、例えば、母親が赤ちゃんを抱きかかえた姿勢のまま、カメラ本体に直接触れることなく、カメラに撮影動作を行わせることができ、被写体の目線が合った写真撮影が容易になる。
【００７８】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【００７９】
以上のように、本開示における技術の例示として、実施の形態を説明した。そのために、添付図面及び詳細な説明を提供した。
【００８０】
本実施の形態では、バリアングル式のモニタを備えるデジタルカメラ１００を例にして説明を行った。しかし、他の実施の形態ではこれに限られない。モニタが、被写体側に表示面１２４を向けたものであれば、どのような構成であってもかまわない。例えば、スマートフォンのように、モニタが固定式であってもよい。この場合、カメラモジュールの光学系は、例えば、モニタの表示面１２４の外側に配置されることになる。従って、カメラモジュールが本体に対して回転可能に設けられていることが好ましい。または、モニタの表示面１２４と同じ面にさらに光学系を有することが好ましい。あるいは、スマートフォンの背面にＯＳＤ５０１表示用のサブディスプレイ等が設けられることが好ましい。
【００８１】
また、本実施の形態では、使用者の目線を誘導するため、目線誘導ＯＳＤ５０１を移動させるようにした。他の実施の形態では、これに加えて、音を追加してもよい。この場合、目線誘導ＯＳＤ５０１が、光学系の中心に近づくに従って、音程を上げるようにすればよい。
【００８２】
また、目線誘導ＯＳＤ５０１の表示は、静止画撮影前に限られず、動画撮影中に表示してもよい。
【００８３】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８４】
また、上述の実施の形態は、本開示における技術を例示するためのものであるから、特許請求の範囲又はその均等の範囲において種々の変更、置き換え、付加、省略などを行うことができる。
＜付記＞
（付記１）
光学系と、
前記光学系で集光された被写体像を撮像する撮像センサと、
前記撮像センサに反射光を入射させる補助光源と、
前記反射光が入射することにより出力される前記撮像センサの出力信号に所定レベル以上の変化を検出した場合に、撮影動作を行うコントローラと、
を備える撮像装置。
（付記２）
撮像される被写体像を表示するモニタを、さらに備え、
前記モニタは、前記撮像装置の筐体に対して回動可能に保持されており、
前記コントローラは、前記モニタの表示面が被写体側を向いている場合に、前記撮影動作を行う、
付記１に記載の撮像装置。
（付記３）
前記コントローラは、被写体の静止画撮影開始前、又は、動画撮影中に、前記表示面に、前記光学系の中心方向に移動するオンスクリーンディスプレイを表示する、
付記２に記載の撮像装置。
（付記４）
前記コントローラは、前記光学系の中心方向に移動するオンスクリーンディスプレイが、前記表示面に表示されなくなった後、撮影動作を行う、
付記３に記載の撮像装置。
【産業上の利用可能性】
【００８５】
本開示は、バリアングル式のモニタ、又は、被写体側を向いたモニタを備える撮像装置に適用可能である。具体的には、デジタルスチルカメラ、スマートフォンなどに、本開示は適用可能である。
【符号の説明】
【００８６】
１００  デジタルカメラ
１１０  光学系
１１１  フォーカスレンズ
１１２  ズームレンズ
１１３  絞り
１１４  シャッター
１２０  ＣＭＯＳイメージセンサ
１２２  画像処理部
１２３  モニタ
１２４  表示面
１２５  モニタ回転検出部
１２６  バッファメモリ
１３０  コントローラ
１４０  メモリカード
１４１  カードスロット
１４２  フラッシュメモリ
１５０  操作部
１６０  フラッシュ
１７０  ＡＦ補助光
２０１  静止画レリーズ釦
２０４  中央釦
２０５  十字釦
２０６  動画レリーズ釦
２０７  モード切替スイッチ
２０９  シーン切替ダイヤル
５０１  目線誘導ＯＳＤ
５０４  光学系中心
【図１】
2015097379.tif 000003
【図２】
2015097379.tif 000004
【図３】
2015097379.tif 000005
【図４】
2015097379.tif 000006
【図５】
2015097379.tif 000007
【図６】
2015097379.tif 000008
【図７】
2015097379.tif 000009
【図８】
2015097379.tif 000010
【図９】
2015097379.tif 000011
【図１０】
2015097379.tif 000012